(57)【要約】【課題】アイロンがけ時に、誤って作られてしまうかけじわを減少させて、仕上がりの向上を図るとともに、しっかりアイロンがけしたい箇所に容易に力を加えることができるアイロンを提供する。【解決手段】前方または後方を開放した握り部５を有するアイロン本体９において、アイロン本体９の重心８を握り部５の下方に位置させるとともに、ベース１の下面側の掛け面３を少なくとも前後方向において下方に凸形状に形成し、前記凸形状の頂部１０をアイロン本体９の重心８の近傍直下に配置、または、握り部の中央１３近傍直下に配置したものである。【選択図】  図１
2004357841.tif 000002
【特許請求の範囲】
【請求項１】
掛け面を有し、ヒーターによって加熱されるベースと、前方または後方を開放した握り部を有した把手とを有するアイロン本体を具備し、前記ベースの前記掛け面を少なくとも前後方向において下方に凸形状に形成し、前記凸形状の頂部を前記アイロン本体の重心近傍直下に配置したアイロン。
【請求項２】
掛け面を有し、ヒーターによって加熱されるベースと、前方または後方を開放した握り部を有した把手とを有するアイロン本体を具備し、前記ベースの前記掛け面を少なくとも前後方向において下方に凸形状に形成し、前記凸形状の頂部を前記握り部の中央近傍直下に配置したアイロン。
【請求項３】
握り部の開放側先端部を非開放側より幅広に形成した請求項１または２記載のアイロン。
【請求項４】
ベースの掛け面は、凸形状の頂部と周縁部との高さの差を、握り部の開放側を非開放側より大きくした請求項１または２記載のアイロン。
【請求項５】
握り部の中央を、握り部の開放側のベース端部より前後方向中央寄りに設けた請求項１または２記載のアイロン。
【発明の詳細な説明】
【０００１】
【発明の属する技術分野】
本発明は衣類等のしわ伸ばしを行うアイロンに関するものである。
【０００２】
【従来の技術】
従来、この種のアイロンは、ヒーターを有するベースに掛け面を形成し、ベースの上方に後方を開放した握り部を有した把手を設けて構成し、掛け面はフラットな平面形状をなしていた（例えば、特許文献１参照）。
【０００３】
また、握り部の前方を開放したタイプもあったが、やはり、掛け面はフラットな平面形状をしているものが一般的であった（例えば、特許文献２参照）。
【０００４】
【特許文献１】
特開昭６０−２５６４９９号公報（第２図）
【特許文献２】
実公昭４４−７９１３号公報（第１図）
【０００５】
【発明が解決しようとする課題】
このような従来の構成では、衣類等のアイロンがけを行い、しわ伸ばしを行う際に、アイロンをアイロンテーブル上に置いて使用するが、アイロンテーブルのクッション性及び衣類の厚みにより、掛け面が若干下方に沈んだ状態でアイロンがけを行うことになる。ここで、掛け面が平面形状の場合は、掛け面と衣類とに段差が生じ、アイロンが衣類の上を移動する時に掛け面の周縁部が衣類等に引っ掛かり、アイロンがけでしわを伸ばしているにもかかわらず、余分なしわを作ってしまうことになる。
【０００６】
特に、前方または後方を開放した握り部を有するアイロンの場合は、開放した握り部の先端部近傍を握ってアイロンがけする傾向にあり、余分なしわが発生しやすい状況にあった。
【０００７】
すなわち、前方を開放したアイロンでは、アイロンが後上がりに傾き、掛け面の前部が沈み込み、後部が浮いてしまうということになり、後方を開放したアイロンでは、アイロンが前上がりに傾き、掛け面の後部が沈み込み、前部が浮いてしまうということになっていた。その結果、アイロンがけでしわを伸ばしているにもかかわらず、余分なしわを作ってしまうことになる。
【０００８】
特に、開放した握り部の先端部の方向にアイロンを移動させてアイロンがけする場合に、この現象は発生しやすい傾向があった。
【０００９】
本発明は上記課題を解決するもので、アイロンがけを行う際に、余分なしわを作ってしまうという失敗を低減し、仕上がりを向上させるとともに、アイロンの使い勝手を向上することを目的としている。
【００１０】
【課題を解決するための手段】
本発明は上記目的を達成するために、掛け面を有し、ヒーターによって加熱されるベースと、前方または後方を開放した握り部を有した把手とを有するアイロン本体を具備し、前記ベースの前記掛け面を少なくとも前後方向において下方に凸形状に形成し、前記凸形状の頂部を前記アイロン本体の重心近傍直下に配置したことを、第１の課題解決手段としている。
【００１１】
また、本発明は、掛け面を有し、ヒーターによって加熱されるベースと、前方または後方を開放した握り部を有した把手とを有するアイロン本体を具備し、前記ベースの前記掛け面を少なくとも前後方向において下方に凸形状に形成し、前記凸形状の頂部を前記握り部の中央近傍直下に配置したことを、第２の課題解決手段としている。
【００１２】
これらにより、アイロンがけをする際、アイロン本体が不要に傾かず、周縁部が衣類に沈み込んでしまうということがなくなり、掛け面の周縁部の衣類への引っ掛かりが減少するとともに、加える力が小さくても、力を加えた方向に容易にアイロン本体を傾かせることができ、スムーズなアイロンがけが可能となる。
【００１３】
【発明の実施の形態】
本発明の請求項１に記載の発明は、掛け面を有し、ヒーターによって加熱されるベースと、前方または後方を開放した握り部を有した把手とを有するアイロン本体を具備し、前記ベースの前記掛け面を少なくとも前後方向において下方に凸形状に形成し、前記凸形状の頂部を前記アイロン本体の重心近傍直下に配置したことで、アイロンがけをする際、アイロンの掛け面の衣類への押圧は、アイロン本体の重心位置近傍になり、この押圧の作用線上に掛け面の頂部があるために、通常のアイロンがけにおいては、アイロンが傾かず、掛け面の前後の周縁部が衣類に引っ掛かることなく、誤ってしわを作ることがなくなる。
【００１４】
請求項２に記載の発明は、掛け面を有し、ヒーターによって加熱されるベースと、前方または後方を開放した握り部を有した把手とを有するアイロン本体を具備し、前記ベースの前記掛け面を少なくとも前後方向において下方に凸形状に形成し、前記凸形状の頂部を前記握り部の中央近傍直下に配置したことで、アイロンがけをする際、アイロンに加わる力の作用線上に掛け面の頂部があるために、アイロンが傾かず、掛け面の前後の周縁部が衣類に引っ掛かることなく、誤ってしわを作ることがなくなるとともに、掛け面を凸形状に形成することで、力を加えたい方向にアイロン本体を傾かせる場合にスムーズに傾かせることが可能となる。
【００１５】
請求項３に記載の発明は、上記請求項１または２記載の発明において、握り部の開放側先端部を非開放側より幅広に形成したことで、アイロンがけをする際、握り部の握る位置が、おのずと把手握り部の中央に近づき、アイロンの掛け面の衣類への押圧の作用線上に掛け面の頂部が位置させやすくなるため、アイロン本体が不要に傾かず、周縁部が衣類に沈み込んでしまうということがなくなり、掛け面の周縁部の衣類への引っ掛かりが減少する。
【００１６】
請求項４に記載の発明は、上記請求項１または２記載の発明において、ベースの掛け面は、凸形状の頂部と周縁部との高さの傾きを、握り部の開放側を非開放側より大きくしたことで、握り部の開放側の先端部を握ってアイロンがけを行っても、掛け面の前後の周縁部が衣類に引っ掛かることなく、誤ってしわを作ることがなくなる。特に、開放した握り部の先端部の方向にアイロンを移動させてアイロンがけする場合に、この効果は大きい。
【００１７】
請求項５に記載の発明は、上記請求項１または２記載の発明において、握り部の中央を、握り部の開放側のベース端部より前後方向中央寄りに設けたことで、アイロンがけをする際、アイロンの掛け面の衣類への押圧をベースの端部より中央寄りに確実に作用させることができるため、特にベースの後端部において、掛け面の周縁部が衣類に沈み込んでしまうということがなくなり、掛け面の周縁部の衣類への引っ掛かりが減少する。
【００１８】
【実施例】
以下、本発明の実施例について、図面を参照しながら説明する。
【００１９】
（実施例１）
図１は本発明の第１の実施例のアイロンの要部断面図、図２は同アイロンの平面図、図３は同アイロンのベースの掛け面の要部拡大図である。
【００２０】
図１および図２において、１はヒーター２を埋設したベース、３はベース１の下面に形成した掛け面、４は掛け面３上方に設けた握り部５を有する把手であり、握り部５の後部に開放部６を有し、先端部７は、非開放側より幅広になっている。８はアイロン本体９の重心である。ベース１の掛け面３は、下方に凸形状かつ略球面形状に形成し、凸形状の頂部１０をアイロン本体９の重心８近傍直下に配置してある。
【００２１】
上記構成において動作を説明すると、アイロンがけをする場合に、使用者は、ヒーター２によりベース１が熱せられ、掛け面３が熱くなった状態でアイロンがけを開始する。使用者は衣類１１をアイロンテーブル１２上において、掛け面３を衣類１１の上に置いて、衣類１１の上を滑らせることでしわ伸ばしを行う。
【００２２】
アイロンがけをする際、アイロン本体９の重量に基づく力が作用する点、すなわち重心８の作用線上に、掛け面３の凸形状の頂部１０が位置することになり、通常のアイロンがけにおいてはアイロンが傾かず、掛け面の前後の周縁部が衣類に引っ掛かることなく、誤ってしわを作ることがなくなる。
【００２３】
また、握り部５下方に力を加えた場合にも、掛け面３の頂部１０は加えた力の作用線上にもあることになるので、アイロン本体１０が不要に傾くことなく、水平を保ったままとなる。そのため、掛け面３の頂部１０付近は衣類１１に沈み込んだ状態となり、力が加わっている箇所では、より強い圧力を衣類１１に加えることが可能となり、仕上がりの向上が図れる。
【００２４】
また、把手４の握り部５の開放側の先端部７を非開放側より幅広にすることにより、把手４の握り位置は、おのずと握り部５の中央１３近傍になり、ベース１の掛け面３を下方に凸形状かつ略球面形状に形成し、凸形状の頂部１０を握り部５の中央近傍直下に配置したことで、アイロンがけをする際、握り部５下方に力を加えた場合にも、掛け面３の頂部１０が加えた力の作用線上にあるので、アイロンが不要に傾くことなく、水平を保ったままとなる。そのため、掛け面３の頂部１０付近は衣類１１に沈みこんだ状態となり、力が加わっている個所では、より強い圧力を衣類１１に加えることが可能となり、仕上がりの向上が図れる。
【００２５】
また、掛け面３の周縁部１４付近では、アイロンテーブル１２及び衣類１１によるクッション性により掛け面３の沈み込みがあるが、掛け面３の頂部１０付近より沈み込みが少なく、掛け面３の周縁部１３が衣類１１を引っ掛けてしまうということがなくなり、使用者の意図しない余分なしわを作るということがなくなり、仕上がりの向上が図れる。
【００２６】
また、アイロン本体９の重心８近傍直下に掛け面３の凸形状の頂部１０があり、かつ略球面形状としたことで、いずれの方向であっても意識的にアイロン本体を滑らす方向に力を加えた場合には、アイロン本体８は力を加えた方向にスムーズに傾き、傾いた方向の掛け面３の圧力が強くなり、衣類１１により強い圧力を加えることができる。
【００２７】
このことは、使用者がよりしわを伸ばしたい箇所もしくは折り目をつけたい箇所のアイロンがけをしようとした場合に意識的にその方向に力を加えるが、アイロン本体９がスムーズに傾くことで、その意図通りに掛け面３のより強い圧力を衣類１１へ伝えることが可能となる。つまり、使用者の思い通りのアイロンがけが可能となる。
【００２８】
また、図３（ａ）〜（ｃ）に示すように、（ｂ）の掛け面３の凸形状の頂部１０と周縁部１４との高さの差を、（ｃ）で示すアイロン後部すなわち握り部５の開放側での高さの差Ｈ２と、（ａ）で示すアイロン前部すなわち握り部５の非開放側での高さの差Ｈ１とで、Ｈ２をＨ１より大きくしてある。これにより、握り部５の開放側の先端部７を握ってアイロンがけを行っても、掛け面３の特に後部の周縁部１４ｃが衣類に引っ掛かることなく、誤ってしわを作ることがなくなる。
【００２９】
さらに、握り部５の中央１３は、握り部５の開放側のベース端部すなわちベース３の後端部１５より前方に位置させてある。これによって、アイロンがけをする際、握り部５の握る位置は、握り部５の中央に近づき、アイロンの掛け面３の衣類１１への押圧の作用線上に掛け面３の頂部１０がくるため、アイロン本体９が不要に傾かず、周縁部１４が衣類１１に沈み込んでしまうということがなくなり、掛け面３の周縁部１４の衣類１１への引っ掛かりが減少する。
【００３０】
なお、本実施例においては、ベース１の掛け面３を下方に凸形状かつ略球面形状としたが、左右方向は平面で、前後方向のみ凸形状かつ略円弧状にすることも考えられ、この場合は、掛け面３の前後方向での周縁部１４の衣類への引っ掛かりを減少できるとともに、掛け面３の左右方向への傾きを安定させることができるので、アイロンがけ動作において前後に動かす場合には、しわを減少することができるだけでなく、かつ安定したアイロンがけが可能になるという利点もある。
【００３１】
（実施例２）
図４は本発明の第２の実施例のアイロンの要部断面図である。
【００３２】
本実施例では、図４において、１はヒーター２を埋設したベース、３はベース１の下面に形成した掛け面、４は掛け面３上方に設けた握り部５を有する把手であり、握り部５の前部に開放部６を有し、先端部７は、非開放側より幅広になっている。その他の構成は実施例１と同様であり、同一番号を付与し、説明を省略する。
【００３３】
この構成によれば、把手４の開放部６が後部と前部の差があるが、得られる効果は、実施例１と同様であり、しわを減少することができるだけでなく、安定したアイロンがけが可能になる。
【００３４】
【発明の効果】
本発明の請求項１に記載の発明によれば、掛け面を有し、ヒーターによって加熱されるベースと、前方または後方を開放した握り部を有した把手とを有するアイロン本体を具備し、前記ベースの前記掛け面を少なくとも前後方向において下方に凸形状に形成し、前記凸形状の頂部を前記アイロン本体の重心近傍直下に配置したことで、掛け面の前後の周縁部が衣類に引っ掛かることなく、誤ってしわを作ることがなくなる。
【００３５】
また、請求項２に記載の発明によれば、掛け面を有し、ヒーターによって加熱されるベースと、前方または後方を開放した握り部を有した把手とを有するアイロン本体を具備し、前記ベースの前記掛け面を少なくとも前後方向において下方に凸形状に形成し、前記凸形状の頂部を前記握り部の中央近傍直下に配置したことで、アイロンに加わる力の作用線上に掛け面の頂部があるために、アイロンが傾かず、掛け面の前後の周縁部が衣類に引っ掛かることなく、誤ってしわを作ることがなくなるとともに、掛け面を凸形状に形成することで、力を加えたい方向にアイロン本体を傾かせる場合にスムーズに傾かせることが可能となる。
【００３６】
また、請求項３に記載の発明によれば、握り部の開放側先端部を非開放側より幅広に形成したことで、握り部の握る位置は、把手握り部の中央に近づき、アイロンの掛け面の衣類への押圧の作用線上に掛け面の頂部が位置するため、アイロン本体が不要に傾かず、周縁部が衣類に沈み込んでしまうということがなくなり、掛け面の周縁部の衣類への引っ掛かりが減少する。
【００３７】
また、請求項４に記載の発明によれば、ベースの掛け面は、凸形状の頂部と周縁部との高さの傾きを、握り部の開放側を非開放側より大きくしたことで、握り部の開放側の先端部を握ってアイロンがけを行っても、掛け面の特に握り部の開放側の周縁部が衣類に引っ掛かることなく、誤ってしわを作ることがなくなる。特に、開放した握り部の先端部の方向にアイロンを移動させてアイロンがけする場合に、この効果は大きい。
【００３８】
また、請求項５に記載の発明によれば、握り部の中央を、握り部の開放側のベース端部より前後方向中央寄りに設けたことで、アイロンがけをする際、アイロンの掛け面の衣類への押圧をベースの端部より中央寄りに確実に作用させることができるため、特にベースの後端部において、掛け面の周縁部が衣類に沈み込んでしまうということがなくなり、掛け面の周縁部の衣類への引っ掛かりが減少する。
【図面の簡単な説明】
【図１】本発明の実施例１におけるアイロンの要部断面図
【図２】同アイロンの平面図
【図３】同アイロンのベースの掛け面の要部拡大図
【図４】本発明の実施例２におけるアイロンの要部断面図
【符号の説明】
１  ベース
２  ヒーター
３  掛け面
４  把手
５  握り部
６  開放部
７  先端部
８  重心
９  アイロン本体
１０  頂部
１３  握り部中央
１４  周縁部
１５  ベースの後端部
【図１】
2004357841.tif 000003
【図２】
2004357841.tif 000004
【図３】
2004357841.tif 000005
【図４】
2004357841.tif 000006